(57)【要約】【課題】暗闇で照らされた際には、標識としての機能を効果的に発揮させる一方で、空間全体が明るい場合には標識情報が目立たず、装飾性を損ない難い装飾シートを提供する。【解決手段】本発明の一形態に係る装飾シートは、標識情報が設けられた装飾シートであって、再帰性反射部と、非再帰性反射部と、を備え、再帰性反射部の表面は、非再帰性反射部の表面に対して同系統色及び同系統模様の少なくとも一方を備え、標識情報は、再帰性反射部の表面及び非再帰性反射部の表面のいずれか一方に設けられている。【選択図】図１
2017211594.tif 000002
【特許請求の範囲】
【請求項１】
標識情報が設けられた装飾シートであって、
再帰性反射部と、非再帰性反射部と、を備え、
前記再帰性反射部の表面は、前記非再帰性反射部の表面に対して同系統色及び同系統模様の少なくとも一方を備え、
前記標識情報は、前記再帰性反射部の表面及び前記非再帰性反射部の表面のいずれか一方に設けられている、装飾シート。
【請求項２】
前記再帰性反射部の反射性能は１Ｃｄ／Ｌｘ／ｍ２以上であり、
前記非再帰性反射部の反射性能は、前記再帰性反射部の反射性能より低い、請求項１記載の装飾シート。
【請求項３】
前記再帰性反射部の表面と前記非再帰性反射部の表面との色差は３０以下である、請求項１または２記載の装飾シート。
【請求項４】
内装面の少なくとも一部を形成する基材と、
前記基材に付着された装飾シートと、を備え、
前記基材は、前記装飾シートの周囲の少なくとも一部に非再帰性反射部を備え、
前記装飾シートは、再帰性反射部を備え、
前記装飾シートの前記再帰性反射部の表面は、前記基材の前記非再帰性反射部の表面に対して同系統色及び同系統模様の少なくとも一方を備え、
前記装飾シートの前記再帰性反射部の表面に標識情報が設けられている、内装構造。
【請求項５】
前記再帰性反射部の反射性能は１Ｃｄ／Ｌｘ／ｍ２以上であり、
前記基材の前記非再帰性反射部の反射性能は、前記装飾シートの前記再帰性反射部の反射性能より低い、請求項４記載の内装構造。
【請求項６】
前記装飾シートの前記再帰性反射部の表面と前記基材の前記非再帰性反射部の表面との色差は３０以下である、請求項４または５記載の内装構造。
【請求項７】
前記装飾シートの表面は、他の非再帰性反射部を更に備える、請求項４から６のいずれか一項記載の内装構造。
【発明の詳細な説明】
【技術分野】
【０００１】
本発明の一側面は、装飾シートに関する。また、本発明の他の一側面は、装飾シートを備えた内装構造に関する。
【背景技術】
【０００２】
緊急用に矢印や文字で出口の方向を示す標識（sign）を屋内に付す技術が知られている（加国特許出願公開２１１９７９８号公報）。この標識では、表示（indicator）が目立つように白色の背景に対して緑色の表示としたり、逆に白色の背景に対して緑色の文字としたりしている。更に、この標識には、再帰性反射材が用いられている。
【先行技術文献】
【特許文献】
【０００３】
【特許文献１】加国特許出願公開２１１９７９８号公報
【発明の概要】
【発明が解決しようとする課題】
【０００４】
緊急時に表示が目立つことは重要であるが、常に目立ってしまうと、表示の周囲に施された装飾を意匠的な観点で損なう可能性があった。
【課題を解決するための手段】
【０００５】
本発明の一側面に係る装飾シートは、標識情報が設けられた装飾シートであって、再帰性反射部と、非再帰性反射部と、を備え、前記再帰性反射部の表面は、前記非再帰性反射部の表面に対して同系統色及び同系統模様の少なくとも一方を備え、前記標識情報は、前記再帰性反射部の表面及び前記非再帰性反射部の表面のいずれか一方に設けられている。
【０００６】
再帰性反射部は、光の光源方向に向けて、主体的に光を反射させる機能を有する。したがって、装飾シートが暗闇で照らされると、非再帰性反射部に比べ、再帰性反射部の方が、より多くの光を光源方向に向けて反射させる。その結果、装飾シートを照らしながら装飾シートを眺めた人物にとっては、再帰性反射部と非再帰性反射部とは相対的に区別し易くなり、両者の違いが目立つ。一方で、再帰性反射部と非再帰性反射部とは同系統色及び同系統模様の少なくとも一方を備えるため、自然光あるいは蛍光灯などの光によって空間全体が明るく照らされている場合には相対的に区別し難く、両者の違いは目立ち難い。つまり、上記の装飾シートでは、再帰性反射部及び非再帰性反射部のいずれか一方に標識情報が設けられているので、暗闇で照らされた場合には両者の区別が明確になり、標識情報が目立つ。一方で、空間全体が明るい場合には再帰性反射部と非再帰性反射部とを区別し難いので標識情報は目立ち難い。その結果、暗闇で照らされた際には、標識としての機能を効果的に発揮させる一方で、空間全体が明るい場合には標識情報が目立たず、装飾性を損ない難い。
【０００７】
一態様に係る装飾シートにおいて、再帰性反射部の反射性能は１Ｃｄ／Ｌｘ／ｍ２以上であり、非再帰性反射部の反射性能は、再帰性反射部の反射性能より低くてもよい。
【０００８】
一態様に係る装飾シートにおいて、再帰性反射部の表面と非再帰性反射部の表面との色差は３０以下であってもよい。
【０００９】
本発明の他の一側面に係る内装構造は、内装面の少なくとも一部を形成する基材と、基材に付着された装飾シートと、を備え、基材は、装飾シートの周囲の少なくとも一部に非再帰性反射部を備え、装飾シートは、再帰性反射部を備え、装飾シートの再帰性反射部の表面は、基材の非再帰性反射部の表面に対して同系統色及び同系統模様の少なくとも一方を備え、装飾シートの再帰性反射部の表面に標識情報が設けられている。
【００１０】
この内装構造は、装飾シートの再帰性反射部に標識情報が設けられているので、暗闇で照らされた場合には標識情報が目立つ。一方で、空間全体が明るい場合には基材と装飾シートとが区別し難いので標識情報は目立ち難い。その結果、暗闇で照らされた際には、標識としての機能を効果的に発揮させる一方で、空間全体が明るい場合には標識情報が目立たず、装飾性を損ない難い。
【００１１】
一態様に係る内装構造では、再帰性反射部の反射性能は１Ｃｄ／Ｌｘ／ｍ２以上であり、基材の非再帰性反射部の反射性能は、装飾シートの再帰性反射部の反射性能より低くてもよい。
【００１２】
一態様に係る内装構造では、装飾シートの再帰性反射部の表面と基材の非再帰性反射部の表面との色差は３０以下であってもよい。
【００１３】
一態様に係る内装構造では、装飾シートの表面は、他の非再帰性反射部を更に備えてもよい。
【発明の効果】
【００１４】
本発明の一側面によれば、暗闇で照らされた際には、標識としての機能を効果的に発揮させる一方で、空間全体が明るい場合には標識情報が目立たず、装飾性を損ない難い。
【図面の簡単な説明】
【００１５】
【図１】図１は、本発明の実施形態に係る装飾シートの一例を示す図である。
【図２】図２は、本発明の実施形態に係る装飾シートの他の例を示す図である。
【図３】図３は、本発明の実施形態に係る装飾シートの更に他の例を示す図である。
【図４】図４は、本発明の実施形態に係る内装構造の一例を示す図である。
【図５】図５は、本発明の実施形態に係る内装構造の他の例を示す図である。
【発明を実施するための形態】
【００１６】
本発明の実施形態は、標識情報が設けられた装飾シートであって、再帰性反射部と、非再帰性反射部と、を備え、再帰性反射部の表面は、非再帰性反射部の表面に対して同系統色及び同系統模様の少なくとも一方を備え、標識情報は、再帰性反射部の表面及び非再帰性反射部の表面のいずれか一方に設けられている。
【００１７】
この装飾シートでは、再帰性反射部は、光の光源方向に向けて、主体的に光を反射させる機能を有する。したがって、装飾シートが暗闇で照らされると、非再帰性反射部に比べ、再帰性反射部の方が、より多くの光を光源方向に向けて反射させる。その結果、装飾シートを照らしながら装飾シートを眺めた人物にとっては、再帰性反射部と非再帰性反射部とは相対的に区別し易くなり、両者の違いが目立つ。一方で、再帰性反射部と非再帰性反射部とは共通外観であるため、自然光あるいは蛍光灯などの光によって空間全体が明るく照らされている場合には相対的に区別し難く、両者の違いは目立ち難い。つまり、上記の装飾シートでは、再帰性反射部及び非再帰性反射部のいずれか一方に標識情報が設けられているので、暗闇で照らされた場合には両者の区別が明確になり、標識情報が目立つ。一方で、空間全体が明るい場合には再帰性反射部と非再帰性反射部とを区別し難いので標識情報は目立ち難い。その結果、暗闇で照らされた際には、標識としての機能を効果的に発揮させる一方で、空間全体が明るい場合には標識情報が目立たず、装飾性を損ない難い。
【００１８】
本発明の他の実施形態は、内装構造であって、内装面の少なくとも一部を形成する基材と、基材に付着された装飾シートと、を備え、基材は、装飾シートの周囲の少なくとも一部に非再帰性反射部を備え、装飾シートは、再帰性反射部を備え、装飾シートの再帰性反射部の表面は、基材の非再帰性反射部の表面に対して同系統色及び同系統模様の少なくとも一方を備え、装飾シートの再帰性反射部の表面に標識情報が設けられている。
【００１９】
この内装構造では、装飾シートの再帰性反射部に標識情報が設けられているので、暗闇で照らされた場合には標識情報が目立つ。一方で、空間全体が明るい場合には基材と装飾シートとが区別し難いので標識情報は目立ち難い。その結果、暗闇で照らされた際には、標識としての機能を効果的に発揮させる一方で、空間全体が明るい場合には標識情報が目立たず、装飾性を損ない難い。
【００２０】
なお、本明細書における「標識情報」とは、視認によって特定の意味を把握させる情報（狭義の識別情報）、自他を識別させることで目印となり得る情報（広義の識別情報）を広く含む。例えば、建物内の狭義の標識情報として、非常出口や避難通路、その他の情報が含まれる。また、建物内の広義の標識情報として、室内のドア、窓、壁などの存在を示唆する目印、非常出口や非常階段などの所定の目的地までを案内する目印、その他の情報が広く含まれる。「非再帰性反射部」とは、再帰性反射機能を有さない部分を意味する。また、「反射性能」は、ＪＩＳＺ ９１１７（２０１１）に準じて測定される値であり、光入射される反射材の光度を、入射光の方向に垂直に置かれた反射材が受ける照度と反射材の面積との積で除した値で定義される。反射性能は、入射角５．０度、観測角０．２度における測定値を示す。本明細書において、「シート」という場合は、フレキシブルなフィルム、シート、および剛性のあるシート、板状体を含むものとする。
【００２１】
以下、図面を参照しながら、装飾シート及び内装構造の実施形態について詳細に説明する。本説明において、同一要素には同一符号を用いることとし、重複する説明は省略する。
【００２２】
図１は、本発明の実施形態に係る装飾シートの一例を示す図である。図１の（ａ）は、室内光源下における装飾シートの正面図を示し、図１の（ｂ）は、図１の（ａ）のＩｂ−Ｉｂ線に沿った装飾シートの断面図を示す。
【００２３】
図１の（ａ）及び（ｂ）に示されるように、装飾シート１Ａは、再帰性反射部１０及び非再帰性反射部２０を備え、再帰性反射部１０は、入射する光の光源方向に向けて、主体的に光を反射させる機能を有する。その結果、再帰性反射部１０の光源方向に向けた反射性能は、少なくとも１Ｃｄ／Ｌｘ／ｍ２よりも大きくなり、例えば、２Ｃｄ／Ｌｘ／ｍ２以上とすることができ、更に、５Ｃｄ／Ｌｘ／ｍ２以上とすることができる。また、非再帰性反射部２０の反射性能は、再帰性反射部１０の反射性能より低く設定されており、例えば、１Ｃｄ／Ｌｘ／ｍ２以下となる。
【００２４】
具体的には、再帰性反射部１０は、再帰性反射シートであれば、特に限定せず使用できるが、例えば市販のガラスビーズタイプあるいはプリズムタイプの再帰性反射シートが使用できる。例えば、ガラスビーズタイプ再帰性反射シートとしては、スコッチライトＴＭ反射シート６８０シリーズ（スリーエムジャパン製）を使用することができる。非再帰性反射部２０は、マーキングシートであれば、限定なく使用できるが、例えば、スコッチカルＴＭフィルム（スリーエムジャパン製）を使用できる。例えば、反射シート６８０−８５は、再帰性反射機能を有する結果、その反射性能は２２．９Ｃｄ／Ｌｘ／ｍ２である（反射シート６８０−８５の反射光は白色である）。一方、スコッチカルＴＭフィルムＪＳ１５００ＸＬでは、実質的に再帰性反射が起こらず、その反射性能は、１Ｃｄ／Ｌｘ／ｍ２以下である。
【００２５】
再帰性反射シートの平面形状、およびそのサイズは、特に限定されない。例えば、一方向に長いテープ状とすることもできるし、図１の（ａ）に示す矩形あるいは多角形、その他標識情報に応じた所定形状とすることができる。例えば、５０００ｍｍ×８０ｍｍのテープ状とし、所望の長さにカットして使用することもできる。再帰性反射シートおよびマーキングシートは裏面に粘着層を有することができ、厚さは、粘着層を含めて、例えば、１８０μｍである。マーキングシートＪＳ１５００ＸＬの厚さは、粘着層を含めて、例えば、８０μｍである。
【００２６】
装飾シート１Ａは、標識情報３０を有し、この標識情報３０は、再帰性反射部１０の表面１０ａ及び非再帰性反射部２０の表面２０ａのいずれか一方に設けられている。図１の（ａ）及び（ｂ）には、非再帰性反射部２０の表面２０ａが標識情報３０となる例が示されている。つまり、非再帰性反射部２０であるマーキングシートＪＳ１５００ＸＬが、矢印の形およびＥｘｉｔという文字の形になって標識情報３０を形成している。
【００２７】
再帰性反射部１０の表面１０ａは、非再帰性反射部２０の表面２０ａに対して同系統色及び同系統模様の少なくとも一方を備えることができる。同系統色とは、基本色として同一のグループに属することを意味する。具体的には、有彩色の基本色は赤、黄赤、黄、黄緑、緑、青緑、青、青紫、紫、赤紫の１０色であり、無彩色の基本色は白、灰色、黒の３種である。複数の色を比較した場合、基本色として共通していれば同系統色であり、基本色として共通するためには色相が同じであれば足りる。なお、再帰性反射部１０の表面１０ａ、及び非再帰性反射部２０の表面２０ａの少なくとも一方が複数色を備えている場合、少なくとも一部の色同士が同系統色に属していれば、再帰性反射部１０の表面１０ａは、非再帰性反射部２０の表面２０ａに対して同系統色であると言える。
【００２８】
同系統模様とは、同種の模様であることを意味する。模様の種類としては、例えば自然界に存在する木目、草木、花、石、砂、皮などの自然模様、自然界に存在する水玉、波、雪などの対象をモチーフとして創作された自然現象模様、及び自然現象とは離れて創作された、線、円形、多角形等の図形を組み合わせた幾何学模様や、ヘアライン、カーボンテキスチャー、金属調、織目等、人工的に作製された様々な模様、などを広く含む。なお、再帰性反射部１０の表面１０ａの模様と非再帰性反射部２０の表面２０ａの模様とが同種であれば、再帰性反射部１０の表面１０ａに付された色と非再帰性反射部２０の表面２０ａに付された色とが同系統色に属していなくても、再帰性反射部１０の表面１０ａは、非再帰性反射部２０の表面２０ａに対して同系統模様であると言える。
【００２９】
本実施形態に係る再帰性反射部１０（図１の（ａ）及び（ｂ）参照）は、非再帰性反射部２０に対しての同系統色の一例として、非再帰性反射部２０と同一色、例えば、黒色の表面を有する。具体的には、再帰性反射部１０を形成する再帰性反射シート６８０−８５は黒色シートであり、非再帰性反射部２０を形成するマーキングシートＪＳ１５００ＸＬは黒色シートである。
【００３０】
再帰性反射部１０と非再帰性反射部２０とが同系統色であるので、装飾シート１Ａが設置された空間全体が明るい場合、例えば、室内光源下では、再帰性反射部１０と、非再帰性反射部２０とを区別し難く、標識情報３０、即ち、非再帰性反射部２０が成す矢印の形およびＥｘｉｔという文字は目立ち難く視認が困難である。室内光源は、例えば、蛍光灯であり、床領域から高さが２ｍ〜３ｍ程度の天井領域に設置される。また、装飾シート１Ａは、例えば、床から高さ１．５ｍ、あるいは、それより低い位置に設置される。なお、図１の（ａ）では、再帰性反射部１０の上に非再帰性反射部２０が設けられていることを示すために、非再帰性反射部２０の輪郭を破線で示している。
【００３１】
図１の（ｃ）は、室内光源を消灯し手元光源が照射されたときの装飾シート１Ａの正面図を示す。手元光源は、例えば、スマートフォンのｉＰｈｏｎｅ５Ｃ（Ａｐｐｌｅ社製）のＬＥＤ光源である。手元光源が装飾シート１Ａに照射されると、再帰性反射部１０が再帰性反射をし、その結果、非再帰性反射部２０が成す矢印の形およびＥｘｉｔという文字が目立ち易くなって視認性が向上する。
【００３２】
なお、手元光源は、ｉＰｈｏｎｅ５Ｃ以外のスマートフォンのＬＥＤ光源であってもよく、また、例えば、家庭用の懐中電灯であってもよい。装飾シート１Ａは、例えば、床から高さが０．１ｍ〜２．２ｍの範囲に設置することができる。この高さは、建物内に存在する人物の視野に入り易い領域であるが、室内光源下では、非再帰性反射部２０が成す矢印の形およびＥｘｉｔという文字は再帰性反射部１０に同化し、保護色のように隠れて、目立ち難い。一方で、室内光源が消灯され、手元光源が照射されたときに、非再帰性反射部２０は再帰性反射部１０に比べて相対的に暗くなり、非再帰性反射部２０によって形成された標識情報３０は目立ち、十分な視認性を有する。
【００３３】
装飾シート１Ａでは、再帰性反射部１０は、例えば、ポリ塩化ビニル、ポリカーボネート、アクリル、ウレタン、フッ素樹脂その他の樹脂を含み、裏面に粘着層を有していてもよい。再帰性反射部１０として、具体的には、例えば、市販のガラスビーズ型、あるいはプリズム型再帰性反射シートが使用できる。ガラスビーズ型再帰性反射シートとしては、例えば、スコッチライトＴＭ反射シート６８０シリーズ（スリーエムジャパン製）を使用することができる。スコッチライトＴＭ反射シート６８０−８５の他に、６８０−１０、６８０−１４、６８０−７２、６８０−７５、及び、６８０−８１（以上、スリーエムジャパン製）等を使用してもよい。再帰性反射部１０の厚さは、粘着層を含めて、例えば、１８０μｍである。
【００３４】
非再帰性反射部２０は、例えば、ポリ塩化ビニル、ポリカーボネート、アクリル、ウレタン、フッ素樹脂その他の樹脂を含み、裏面に粘着層を有していてもよい。非再帰性反射部２０としては、市販のマーキングシートを使用でき、例えば、スコッチカルＴＭフィルム（スリーエムジャパン製）を使用できる。具体的には、スコッチカルＴＭフィルムＪＳ１５００ＸＬの他に、ＪＳ１００３ＸＬ、ＪＳ１００６ＸＬ、ＪＳ１２３４ＸＬ、ＪＳ１４０８ＸＬ、ＪＳ１４０４ＸＬ、ＪＳ１６０４ＸＬ、ＩＪ５３４１Ｆ、ＪＳ６１０６、及び、ＪＳ６６１６ＸＬ（以上、スリーエムジャパン製）等を使用できる。非再帰性反射部２０の厚さは、粘着層を含めて、例えば、８０μｍである。
【００３５】
また、空間全体が明るい場合には標識情報が目立たず、装飾性を損ない難くするためには、表１に示されるように、装飾シート１Ａの再帰性反射部１０の表面１０ａと非再帰性反射部２０の表面２０ａとの色差は、３０以下とすることができ、更に、２０以下とすることができ、更に、１０以下とすることができる。
【００３６】
表１は、再帰性反射部１０及び非再帰性反射部２０に、それぞれ含まれる反射シート及びマーキングシートの反射性能を示した表である。表中の反射シートおよびマーキングシート名は、それぞれスリーエム社製品名と各シート表面の色を示す。また、この表は、各反射シート及び各マーキングシートの組み合わせを示し、その組み合わせについて、再帰性反射部１０と非再帰性反射部２０との色差及び外観評価を示した表である。なお、表１の中において「ＪＳ６８０４ＸＬ（ムーンビームメタリック）＋ＴＰ３１１３ＸＬ（レモンイエロー）」とは、マーキングシートＪＳ６８０４ＸＬの上に透過型マーキングシートＴＰ３１１３ＸＬを形成したことを意味する。
【００３７】
色差測定では、分光測色計ＣＭ−３７００ｄ（コニカミノルタ社製）を用い、化粧フィルムのＬ＊ａ＊ｂ＊値を測定した。測定用光源はＤ６５とし、観測角は１０度とした。各反射シート及び各マーキングシートに光照射を行い、Ｌ＊ａ＊ｂ＊値を測定した。
【００３８】
色差ΔＥ＊の算出は、反射シートのＬ＊ａ＊ｂ＊値を、Ｌ＊１、ａ＊１、ｂ＊１と表記し、マーキングシートのＬ＊ａ＊ｂ＊値を、Ｌ＊２、ａ＊２、ｂ＊２と表記し、次の計算式に従った。
ΔＥ＊＝［（Ｌ＊２−Ｌ＊１）２＋（ａ＊２−ａ＊１）２＋（ｂ＊２−ｂ＊１）２］１/２
表１の外観評価では、空間全体が明るい場合に、各シートとそれが付着される基材との外観に相違がない又は殆どないときに「Ａ」と評価し、各シートとそれが付着される基材との外観に明らかに相違があるときに「Ｂ」と評価した。表１から、再帰性反射部１０の反射シートと非再帰性反射部２０のマーキングシートとの色差が３０以下であるときに、外観評価が「Ａ」となることが示される。
【００３９】
【表１】
2017211594.tif 000003
【００４０】
図２は、本発明の実施形態に係る装飾シートの他の例を示す図である。図２の（ａ）は、室内光源下における装飾シートの正面図を示し、図２の（ｂ）は、図２の（ａ）のＩＩｂ−ＩＩｂ線に沿った装飾シートの断面図を示す。
【００４１】
図２の（ａ）及び（ｂ）に示されるように、装飾シート１Ｂは、再帰性反射部１０及び非再帰性反射部２０を備え、再帰性反射部１０は、入射する光の光源方向に向けて、主体的に光を反射させる機能を有し、その結果、その光源方向に向けた反射性能は、少なくとも１Ｃｄ／Ｌｘ／ｍ２よりも大きくなり、例えば、２Ｃｄ／Ｌｘ／ｍ２以上とすることができ、更に、５Ｃｄ／Ｌｘ／ｍ２以上とすることができる。また、非再帰性反射部２０の反射性能は、再帰性反射部１０の反射性能より低く設定されており、例えば、１Ｃｄ／Ｌｘ／ｍ２以下となる。
【００４２】
一実施形態としては、再帰性反射部１０として、具体的には、スコッチライトＴＭ反射シート６８０−８５（スリーエムジャパン製）を含み、非再帰性反射部２０は、マーキングシートであるスコッチカルＴＭフィルムＪＳ１５００ＸＬ（スリーエムジャパン製）を含む。反射シート６８０−８５は、再帰性反射機能を有する結果、その反射性能は２２．９Ｃｄ／Ｌｘ／ｍ２である（反射シート６８０−８５の反射光は白色である）。一方、マーキングシートＪＳ１５００ＸＬでは、実質的に再帰性反射が起こらず、その反射性能は、１Ｃｄ／Ｌｘ／ｍ２以下である。
【００４３】
マーキングシートの平面形状およびサイズに特に限定はない。例えば一方向に長いテープ状とすることもできるし、図２の（ａ）に示す矩形あるいは多角形、その他標識情報に応じた所定形状とすることができる。例えば５０００ｍｍ×８０ｍｍのテープ状とし、所望の長さにカットして使用することもできる。再帰性反射シートおよびマーキングシートは裏面に粘着層を有することができ、厚さは、粘着層を含めて、例えば、８０μｍである。再帰性反射シート６８０−８５の厚さは、粘着層を含めて、例えば、１８０μｍである。
【００４４】
装飾シート１Ｂは、標識情報３０を有し、この標識情報３０は、再帰性反射部１０の表面１０ａ及び非再帰性反射部２０の表面２０ａのいずれか一方に設けられる。図２の（ａ）及び（ｂ）には、再帰性反射部１０の表面１０ａが標識情報３０となる例が示されている。つまり、再帰性反射部１０である再帰性反射シート６８０−８５が、矢印の形およびＥｘｉｔという文字の形になって標識情報３０を形成している。
【００４５】
再帰性反射部１０の表面１０ａは、非再帰性反射部２０の表面２０ａに対して同系統色及び同系統模様の少なくとも一方を備えることができる。本実施形態に係る再帰性反射部１０（図２の（ａ）及び（ｂ）参照）は、非再帰性反射部２０に対しての同系統色の一例として、非再帰性反射部２０と同一色、例えば、同じ黒色の表面を有する。具体的には、再帰性反射部１０を形成する再帰性反射シート６８０−８５は黒色シートであり、非再帰性反射部２０を形成するマーキングシートＪＳ１５００ＸＬは黒色シートである。
【００４６】
再帰性反射部１０と非再帰性反射部２０と同系統色であるので、装飾シート１Ｂが設置された空間全体が明るい場合、例えば、室内光源下では、再帰性反射部１０と、非再帰性反射部２０とを区別し難く、標識情報３０、即ち、再帰性反射部１０が成す矢印の形およびＥｘｉｔという文字は目立ち難く視認が困難である。室内光源は、例えば、蛍光灯であり、床領域から高さが２ｍ〜３ｍ程度の天井領域に設置される。また、装飾シート１Ａは、例えば、床から高さ１．５ｍ、あるいはそれより低い位置に設置される。なお、図２の（ａ）では、非再帰性反射部２０の上に再帰性反射部１０が設けられていることを示すために、再帰性反射部１０の輪郭を破線で示している。
【００４７】
図２の（ｃ）は、室内光源を消灯し手元光源が照射されたときの装飾シートの正面図を示す。手元光源は、例えば、スマートフォンのｉＰｈｏｎｅ５Ｃ（Ａｐｐｌｅ社製）のＬＥＤ光源である。手元光源が装飾シート１Ｂに照射されると、再帰性反射部１０が再帰性反射をし、その結果、再帰性反射部１０が成す矢印の形およびＥｘｉｔという文字が目立ち易くなって視認性が向上する。
【００４８】
なお、手元光源は、ｉＰｈｏｎｅ５Ｃ以外のスマートフォンのＬＥＤ光源であってもよく、また、例えば、家庭用の懐中電灯であってもよい。装飾シート１Ｂは、例えば、床から高さが０．１ｍ〜２．２ｍの範囲に設置することができる。この高さは、建物内に存在する人物の視野に入り易い領域であるが、室内光源下では、再帰性反射部１０が成す矢印の形およびＥｘｉｔという文字は非再帰性反射部２０に同化し、保護色のように隠れて、目立ち難い。一方で、室内光源が消灯され、手元光源が照射されたときに、再帰性反射部１０は非再帰性反射部２０に比べて相対的に明るくなり、再帰性反射部１０によって形成された標識情報３０は目立ち、十分な視認性を有する。
【００４９】
また、空間全体が明るい場合において標識情報３０が目立たず、装飾性を損ない難くするという観点において、装飾シート１Ｂの再帰性反射部１０の表面１０ａと非再帰性反射部２０の表面２０ａとの色差は、３０以下とすることができ、更に、２０以下とすることができ、更に、１０以下とすることができる。
【００５０】
図３は、本発明の実施形態に係る装飾シートの更に他の例を示す図である。図３の（ａ）は、室内光源下における装飾シートの正面図を示し、図３の（ｂ）は、図３の（ａ）のＩＩＩｂ−ＩＩＩｂ線に沿った装飾シートの断面図を示す。
【００５１】
図３の（ａ）及び（ｂ）に示されるように、装飾シート１Ｃは、再帰性反射部１０及び非再帰性反射部２０を備え、再帰性反射部１０は、入射する光の光源方向に向けて、主体的に光を反射させる機能を有し、その結果、その光源方向に向けた反射性能は、少なくとも１Ｃｄ／Ｌｘ／ｍ２よりも大きくなり、例えば、２Ｃｄ／Ｌｘ／ｍ２以上とすることができ、更に、５Ｃｄ／Ｌｘ／ｍ２以上とすることができる。また、非再帰性反射部２０の反射性能は、再帰性反射部１０の反射性能より低く設定されており、例えば、１Ｃｄ／Ｌｘ／ｍ２以下となる。
【００５２】
一実施形態としては、具体的には、再帰性反射部１０として、スコッチライトＴＭ反射シート６８０−１０（スリーエムジャパン製）を含み、非再帰性反射部２０は、マーキングシートであるスコッチカルＴＭフィルムＪＳ１００３ＸＬ（スリーエムジャパン製）を含む。反射シート６８０−１０は、再帰性反射機能を有する結果、その反射性能は８５Ｃｄ／Ｌｘ／ｍ２である（反射シート６８０−１０の反射光は白色である）。一方、マーキングシートＪＳ１００３ＸＬでは、実質的に再帰性反射が起こらず、その反射性能は、１Ｃｄ／Ｌｘ／ｍ２以下である。
【００５３】
マーキングシートＪＳ１００３ＸＬの平面形状およびサイズは、特に限定はない。例えば一方向に長いテープ状とすることもできるし、図３の（ａ）に示す矩形あるいは多角形、その他標識情報に応じた所定形状とすることができる。例えば５０００ｍｍ×８０ｍｍのテープ状とし、所望の長さにカットして使用することもできる。再帰性反射シートおよびマーキングシートは裏面に粘着層を有することができ、厚さは、粘着層を含めて、例えば、８０μｍである。再帰性反射シート６８０−１０の厚さは、粘着層を含めて、例えば、１８０μｍである。
【００５４】
装飾シート１Ｃは、標識情報３０を有し、この標識情報３０は、再帰性反射部１０の表面１０ａ及び非再帰性反射部２０の表面２０ａのいずれか一方に設けられる。図３の（ａ）及び（ｂ）には、再帰性反射部１０の表面１０ａが標識情報３０となる例が示されている。つまり、再帰性反射部１０である再帰性反射シート６８０−１０が、矢印の形およびＥｘｉｔという文字の形になって標識情報３０を形成している。
【００５５】
再帰性反射部１０の表面１０ａは、非再帰性反射部２０の表面２０ａに対して同系統色及び同系統模様の少なくとも一方を備えることができる。本実施形態に係る再帰性反射部１０（図３の（ａ）及び（ｂ）参照）は、非再帰性反射部２０に対しての同系統色の一例として、非再帰性反射部２０のアイスグレイ色と同系統色、例えば、白色の表面を有し、また、例えば、再帰性反射部１０は、非再帰性反射部２０と同系統模様、例えば、同じ木目調模様の表面を有することができる。
【００５６】
木目調模様の表面を有する装飾シート１Ｃは、以下のようにして作製することができる。即ち、初めに、非再帰性反射部２０のためのマーキングシートＪＳ１００３ＸＬを用意し、そのマーキングシートＪＳ１００３ＸＬ上に、再帰性反射部１０のための再帰性反射シート６８０−１０を貼り付ける。マーキングシートＪＳ１００３ＸＬの表面は、アイスグレイ色であり、再帰性反射シート６８０−１０の表面は、白色である。再帰性反射シート６８０−１０の輪郭は、矢印の形およびＥｘｉｔという文字を形成している。続いて、再帰性反射シート６８０−１０が貼り付けられたマーキングシートＪＳ１００３ＸＬは、ＵＶインクジェットプリンターＵＪＶ５００（ミマキ社製）を用いて、木目調の印刷が施される。この印刷の結果、再帰性反射シート６８０−１０と、マーキングシートＪＳ１００３ＸＬとが、同じ木目調模様の表面を有することができる。なお、木目調模様の表面を有する装飾シート１Ｃは、非再帰性反射部２０となるマーキングシートと再帰性反射部１０となる反射シート、それぞれ別々に、同一の木目調の柄を印刷し、後に柄の連続性が生じるように、貼り合せることで形成することも可能である。
【００５７】
同じ木目調模様の表面を有するので、装飾シート１Ｃが置かれる空間全体が明るい場合、例えば、室内光源下では、再帰性反射部１０の再帰性反射シート６８０−１０と、非再帰性反射部２０のマーキングシートＪＳ１００３ＸＬとを区別し難く、標識情報３０、即ち、再帰性反射部１０が成す矢印の形およびＥｘｉｔという文字は非再帰性反射部２０に同化し、目立たず装飾性を損ない難くなる。なお、図３の（ａ）では、非再帰性反射部２０の上に再帰性反射部１０が設けられていることを示すために、非再帰性反射部２０の輪郭を破線で示している。
【００５８】
図３の（ｃ）は、室内光源を消灯し手元光源が照射されたときの装飾シートの正面図を示す。手元光源は、スマートフォンのｉＰｈｏｎｅ５Ｃ（Ａｐｐｌｅ社製）のＬＥＤ光源であることができる。この手元光源が装飾シート１Ｃに照射されると、再帰性反射部１０が再帰性反射をする結果、再帰性反射部１０は非再帰性反射部２０に比べて相対的に明るくなり、再帰性反射部１０によって形成された標識情報３０は目立ち、十分な視認性を有する。なお、図３の装飾シート１Ｃは、例えば、床から高さ０．１ｍ及び２．２ｍの位置に設置することができて、これらの位置に設置されても、室内光源下では、再帰性反射部１０が成す矢印の形およびＥｘｉｔという文字は目立ち難く視認が困難である。その一方で、室内光源が消灯され手元光源が照射されたときに、十分な視認性を有する。
【００５９】
上述の通り、再帰性反射部１０は、光の光源方向に向けて、主体的に光を反射させる機能を有する。したがって、上記の装飾シート１Ａ、１Ｂ、１Ｃが暗闇で照らされると、非再帰性反射部２０に比べ、再帰性反射部１０の方が、より多くの光を光源方向に向けて反射させる。その結果、装飾シート１Ａ、１Ｂ、１Ｃを照らしながら装飾シート１Ａ、１Ｂ、１Ｃを眺めた人物にとっては、再帰性反射部１０と非再帰性反射部２０とは相対的に区別し易くなり、両者の違いが目立つ。一方で、再帰性反射部１０と非再帰性反射部２０とは同系統色及び同系統模様の少なくとも一方を備えるため、自然光あるいは蛍光灯などの光によって空間全体が明るく照らされている場合には相対的に区別し難く、両者の違いは目立ち難い。つまり、上記の装飾シート１Ａ、１Ｂ、１Ｃでは、再帰性反射部１０及び非再帰性反射部２０のいずれか一方に標識情報３０が設けられているので、暗闇で照らされた場合には両者の区別が明確になり、標識情報３０が目立つ。一方で、空間全体が明るい場合には再帰性反射部１０と非再帰性反射部２０とを区別し難いので標識情報３０は目立ち難い。その結果、暗闇で照らされた際には、標識としての機能を効果的に発揮させる一方で、空間全体が明るい場合には標識情報３０が目立たず、装飾性を損ない難い。
【００６０】
図４は、本発明の実施形態に係る内装構造の一例を示す図である。図４の（ａ）は、室内光源下における内装構造の一例を示す図であり、具体的には壁面４０及び幅木４１を示している。壁面４０及び幅木４１は、建物の内装面の少なくとも一部を形成する基材である。
【００６１】
内装構造２Ａに係る壁面４０は、無模様単色、例えば、白色であるが、複数の色を持った模様を有していても良い。壁面４０は、４つの辺を有し、上辺４０ａは、例えば天井領域との境界線を示し、二つの側辺４０ｂは、例えば隣接する他の壁面との境界線を示す。また、壁面４０の下辺４０ｄは、例えば床領域との境界線を示し、本実施形態では、下辺４０ｄに沿って幅木４１が配置されている。幅木４１は、無模様単色、例えば、黒色であるが、複数の色を持った模様を有していても良い。
【００６２】
壁面４０の大きさについて、床領域からの高さは２ｍ〜３ｍであり、例えば、横幅は４ｍ〜６ｍである。また、天井領域には、室内灯（例えば、蛍光灯）が設置されている。また、幅木４１の幅は、例えば、約８０ｍｍである。
【００６３】
本実施形態では、壁面４０の上辺４０ａ及び二つの側辺４０ｂに沿って装飾シート１Ｄが付着され、下辺４０ｄに沿うように幅木４１の上に装飾シート１Ｅが付着されている。装飾シート１Ｅの幅は幅木４１の幅に一致し、幅木４１の長手方向の一部に装飾シート１Ｅが付着されている。本実施形態に係る装飾シート１Ｄは、例えば、スコッチライトＴＭ反射シート６８０シリーズ（スリーエムジャパン製）が使用でき、例えば、再帰性反射シート６８０−１０によって形成されている。つまり、装飾シート１Ｄは、再帰性反射部１０を備えているが、非再帰性反射部を備えていない。また、装飾シート１Ｅも、スコッチライトＴＭ反射シート６８０シリーズ（スリーエムジャパン製）が使用でき、例えば、再帰性反射シート６８０−８５によって形成されている。つまり、装飾シート１Ｅは、再帰性反射部１０を備えているが、非再帰性反射部を備えていない。なお、装飾シート１Ｄ、１Ｅの変形例として、それぞれ非再帰性反射部を備えていてもよい。
【００６４】
上述の通り、装飾シート１Ｄは、壁面４０の上辺４０ａ及び二つの側辺４０ｂに沿って配置されており、逆に言うと、壁面４０の上辺４０ａ及び二つの側辺４０ｂは、装飾シート１Ｃの周囲の一部である装飾シート１Ｄに沿った領域に存在することを意味する。更に、壁面４０は、再帰性反射を行わない非再帰性反射部２０である。その結果、装飾シート１Ｄの周囲の一部に非再帰性反射部２０が設けられた態様になっている。また、装飾シート１Ｅは、幅木４１の長手方向の一部に配置されており、逆に言うと、幅木４１の一部は、装飾シート１Ｅの周囲の一部である装飾シート１Ｅの端部から露出した領域に存在することを意味する。更に、幅木４１は、再帰性反射を行わない非再帰性反射部２０である。その結果、装飾シート１Ｅの周囲の一部に非再帰性反射部２０が設けられた態様になっている。
【００６５】
装飾シート１Ｄの再帰性反射部１０の表面１０ａは、非再帰性反射部２０である壁面（表面）４０に対して同系統色及び同系統模様の少なくとも一方を備えることができる。具体的には、再帰性反射部１０の再帰性反射シート６８０−１０は、非再帰性反射部２０である壁面（表面）４０と同じ白色の表面１０ａを有する。また、装飾シート１Ｅの再帰性反射部１０の表面１０ａは、非再帰性反射部２０である幅木４１の表面２０ａに対して同系統色及び同系統模様の少なくとも一方を備えることができる。具体的には、再帰性反射部１０の再帰性反射シート６８０−８５は、非再帰性反射部２０である幅木４１と同じ黒色の表面１０ａを有する。
【００６６】
装飾シート１Ｄの再帰性反射部１０の光源方向に向けた反射性能は、少なくとも１Ｃｄ／Ｌｘ／ｍ２よりも大きくなり、例えば、２Ｃｄ／Ｌｘ／ｍ２以上とすることができ、更に、５Ｃｄ／Ｌｘ／ｍ２以上とすることができる。また、非再帰性反射部２０である壁面４０の反射性能は、再帰性反射部１０の反射性能より低く設定されている。
【００６７】
装飾シート１Ｄは、壁面４０の上辺４０ａ及び二つの側辺４０ｂに沿って配置されており、その結果、壁面４０の境界線を目印として示唆する標識情報として機能する。また、装飾シート１Ｅは、幅木４１上に配置されており、幅木４１の存在を目印として示唆する標識情報として機能する。
【００６８】
上述の通り、装飾シート１Ｄの再帰性反射部１０は壁面４０に対して同系統色となり、装飾シート１Ｅの再帰性反射部１０は幅木４１に対して同系統色となる。その結果、壁面４０及び幅木４１を備える空間全体が明るい場合、例えば、室内光源下では、装飾シート１Ｄの再帰性反射部１０と、非再帰性反射部２０である壁面４０とは区別し難く、また、装飾シート１Ｅの再帰性反射部１０と、非再帰性反射部２０である幅木４１とは区別し難い。その結果、装飾シート１Ｄ及び装飾シート１Ｅは標識情報として機能し難くなり、装飾性を損ない難い。
【００６９】
図４の（ｂ）は、室内光源を消灯し手元光源が照射されたときの内装構造２Ａの一例を示す図である。手元光源は、スマートフォンのｉＰｈｏｎｅ５Ｃ（Ａｐｐｌｅ社製）のＬＥＤ光源であることができる。この手元光源が装飾シートに照射されると、装飾シート１Ｄの再帰性反射部１０、及び装飾シート１Ｅの再帰性反射部１０が再帰性反射をする結果、壁面４０の境界線及び幅木４１の位置が目立ち易くなり、壁面４０の４つの辺が視認されるようになる。装飾シート１Ｄの再帰性反射部１０、及び装飾シート１Ｅの再帰性反射部１０は、再帰性反射をするので、その反射性能は、ぞれぞれ、８５Ｃｄ／Ｌｘ／ｍ２及び２２．９Ｃｄ／Ｌｘ／ｍ２である。一方、壁面４０及び幅木４１では、再帰性反射が起こらず、その反射性能は、１Ｃｄ／Ｌｘ／ｍ２以下である。
【００７０】
また、空間全体が明るい場合において標識情報として機能する装飾シート１Ｄや装飾シート１Ｅが目立たず、装飾性を損ない難くするという観点において、装飾シート１Ｄの再帰性反射部１０の表面１０ａと非再帰性反射部２０である壁面（表面）４０との色差は、３０以下とすることができ、更に、２０以下とすることができ、更に、１０以下とすることができる。また、装飾シート１Ｅの再帰性反射部１０の表面１０ａと非再帰性反射部２０である幅木４１の表面２０ａとの色差は、３０以下とすることができ、更に、２０以下とすることができ、更に、１０以下とすることができる。
【００７１】
図５は、本発明の実施形態に係る内装構造２Ｂの他の例を示す図である。図５の（ａ）は、室内光源下における廊下及び壁面の一部を示す図である。
【００７２】
図５の内装構造２Ｂでは、壁５０と廊下５１との間に幅木４１を有し、また、壁５０は、手すり５２と、この手すり５２に沿って通路案内標識シート５３とを備える。壁５０及び幅木４１は、建物の内装面の少なくとも一部を形成する基材である。また、本実施形態に係る通路案内標識シート５３は装飾シートの一例である。通路案内標識シート５３は、壁５０に付着された再帰性反射シート６８０−１０によって形成され、再帰性反射部１０となる。また、幅木４１上には、装飾シート１Ｆが付着されており、装飾シート１Ｆは再帰性反射シート６８０−８５からなって再帰性反射部１０を形成する。装飾シート１Ｆの幅は、幅木４１の幅とほぼ同一であり、幅木４１の長手方向の一部に付着されている。
【００７３】
壁５０は、再帰性反射を行わない非再帰性反射部２０であり、通路案内標識シート５３の再帰性反射部１０（再帰性反射シート６８０−１０）の周囲の少なくとも一部は非再帰性反射部２０を成す。また、幅木４１は再帰性反射を行わない非再帰性反射部２０であり、装飾シート１Ｆの再帰性反射部１０（再帰性反射シート６８０−８５）の周囲の少なくとも一部は非再帰性反射部２０を成す。
【００７４】
通路案内標識シート５３の再帰性反射部１０の光源方向に向けた反射性能は、少なくとも１Ｃｄ／Ｌｘ／ｍ２よりも大きくなり、例えば、２Ｃｄ／Ｌｘ／ｍ２以上とすることができ、更に、５Ｃｄ／Ｌｘ／ｍ２以上とすることができる。また、非再帰性反射部２０である壁５０の反射性能は、再帰性反射部１０の反射性能より低く設定されている。
【００７５】
また、装飾シート１Ｆの再帰性反射部１０の光源方向に向けた反射性能は、少なくとも１Ｃｄ／Ｌｘ／ｍ２よりも大きくなり、例えば、２Ｃｄ／Ｌｘ／ｍ２以上とすることができ、更に、３Ｃｄ／Ｌｘ／ｍ２以上とすることができる。また、非再帰性反射部２０である幅木４１の反射性能は、再帰性反射部１０の反射性能より低く設定されている。
【００７６】
通路案内標識シート５３は、廊下５１に沿った通路方向を目印として示唆する標識情報として機能する。また、装飾シート１Ｆは、幅木４１上に配置されており、幅木４１の存在を目印として示唆する標識情報として機能する。
【００７７】
通路案内標識シート５３の再帰性反射部１０の表面１０ａは、非再帰性反射部２０である壁５０の表面２０ａに対して同系統色及び同系統模様の少なくとも一方を備える。例えば、通路案内標識シート５３の再帰性反射部１０の表面１０ａは、壁５０と同じ白色の表面を有する。また、装飾シート１Ｆの再帰性反射部１０の表面１０ａは、幅木４１と同じ黒色の表面を有する。再帰性反射シートが壁５０または幅木４１と同じ色を有するので、壁５０及びと廊下５１を備える空間全体が明るい場合、例えば、室内光源下では、再帰性反射部１０と、非再帰性反射部２０である壁５０とは区別し難く、また、再帰性反射部１０と、非再帰性反射部２０の幅木４１とは区別し難い。
【００７８】
図５の（ｂ）は、室内光源を消灯し手元光源が照射されたときの壁及び廊下の一部を示す図である。手元光源は、スマートフォンのｉＰｈｏｎｅ５Ｃ（Ａｐｐｌｅ社製）のＬＥＤ光源であることができる。この手元光源が通路案内標識シート５３及び装飾シート１Ｆに照射されると、通路案内標識シート５３及び幅木４１上の装飾シート１Ｆが目立ち、それぞれ識別情報として機能する。
【００７９】
通路案内標識シート５３の再帰性反射部１０、及び装飾シート１Ｆの再帰性反射部１０は、再帰性反射をするので、その反射性能は、ぞれぞれ、８５Ｃｄ／Ｌｘ／ｍ２及び２２．９Ｃｄ／Ｌｘ／ｍ２である。一方、壁５０及び廊下５１では、再帰性反射が起こらず、その反射性能は、１Ｃｄ／Ｌｘ／ｍ２以下である。
【００８０】
上記の内装構造２Ａ、２Ｂは、内装面の少なくとも一部を形成する基材に装飾シート１Ｄ、１Ｅ、１Ｆが付着され、装飾シート１Ｄ、１Ｅ、１Ｆの再帰性反射部１０に標識情報に相当する要素が設けられている。従って、暗闇で照らされた場合には、その標識情報３０が目立つ。一方で、空間全体が明るい場合には基材と装飾シート１Ｄ、１Ｅ、１Ｆとが区別し難いので標識情報３０は目立ち難い。その結果、暗闇で照らされた際には、標識としての機能を効果的に発揮させる一方で、空間全体が明るい場合には標識情報３０が目立たず、装飾性を損ない難い。
【００８１】
また、手元光源と、再帰性反射部である通路案内標識シート５３または幅木４１上の装飾シート１Ｆとの間に障害物５４が存在すると、通路案内標識シート５３または幅木４１を示す反射が視認されない。したがって、手元光源と、通路案内標識シート５３または幅木４１との間に障害物５４があることが認識される。例えば、建物内の障害物５４を避けながら避難するときに、避難の安全性が向上し、また、建物内の夜間見回りを行うときに、不審者や不審物の発見をし易くなる。
【００８２】
なお、通路案内標識シート５３または装飾シート１Ｆ上の表面には、例えば、非再帰性反射部となるマーキングシートＪＳ１５００ＸＬが設けられてもよい。非再帰性反射部として、避難用の矢印及びＥｘｉｔという文字が形成されると、避難の安全性がより向上する。
【００８３】
また、上記の内装構造２Ａ、２Ｂにおける装飾シート１Ｄ、１Ｅ、１Ｆの代わりに上述した装飾シート１Ａ、１Ｂ、１Ｃを用いた態様とすることもできる。この態様に係る再帰性反射部１０の表面１０ａは、非再帰性反射部２０の表面２０ａに対して同系統色及び同系統模様の少なくとも一方を備え、さらに、標識情報３０は、再帰性反射部１０の表面１０ａ及び非再帰性反射部２０の表面２０ａのいずれか一方に設けられていてもよい。さらに、この態様では、内装面の少なくとも一部を形成する基材に上記の装飾シート１Ａ、１Ｂ、１Ｃが付着され、その基材は、装飾シート１Ａ、１Ｂ、１Ｃの周囲の少なくとも一部に非再帰性反射部２０を備え、装飾シート１Ａ、１Ｂ、１Ｃは、再帰性反射部１０を備え、装飾シートの再帰性反射部１０の表面１０ａは、基材の非再帰性反射部２０の表面２０ａに対して同系統色及び同系統模様の少なくとも一方を備え、装飾シートの再帰性反射部１０の表面１０ａに標識情報３０が設けられていてもよい。
【符号の説明】
【００８４】
１Ａ、１Ｂ、１Ｃ、１Ｄ、１Ｅ、１Ｆ…装飾シート、２Ａ，２Ｂ…内装構造、１０…再帰性反射部、１０ａ…表面、２０…非再帰性反射部、２０ａ…表面、３０…標識情報。
【図１】
2017211594.tif 000004
【図２】
2017211594.tif 000005
【図３】
2017211594.tif 000006
【図４】
2017211594.tif 000007
【図５】
2017211594.tif 000008